(57)【特許請求の範囲】
【請求項１】
河川に人工的に魚道を設置する場合に用いる魚道ブロックであって、略直方体のブロック本体の表側中央部には水溜め用の凹部が設けられ、この凹部を構成する外周壁部の両横壁部には凹部が設けられ、更に、この凹部内には前記ブロック本体の裏側に貫通する底部連通孔が設けられていることを特徴とする魚道ブロック。
【請求項２】
河川に人工的に魚道を設置する場合に用いる魚道ブロックであって、略直方体のブロック本体の表側中央部には水溜め用の凹部が設けられ、この凹部を構成する外周壁部の両横壁部には凹部が設けられ、前記ブロック本体の下流側端部の表側両側には凸部が設けられ、この凸部の間は越流部に設定されていることを特徴とする魚道ブロック。
【請求項３】
河川に人工的に魚道を設置する場合に用いる魚道ブロックであって、略直方体のブロック本体の表側中央部には水溜め用の凹部が設けられ、この凹部を構成する外周壁部の両横壁部には凹部が設けられ、前記ブロック本体の下流側端部の裏側には下流側端部の延設方向に延設される切り欠き部が設けられ、この切り欠き部が虚を形成するように構成されていることを特徴とする魚道ブロック。
【請求項４】
河川に人工的に魚道を設置する場合に用いる魚道ブロックであって、略直方体のブロック本体の表側中央部には水溜め用の凹部が設けられ、この凹部を構成する外周壁部の両横壁部には凹部が設けられ、更に、この凹部内には前記ブロック本体の裏側に貫通する底部連通孔が設けられ、前記ブロック本体の下流側端部の表側両側には凸部が設けられ、この凸部の間は越流部に設定され、前記ブロック本体の下流側端部の裏側には下流側端部の延設方向に延設される切り欠き部が設けられ、この切り欠き部が虚を形成するように構成されていることを特徴とする魚道ブロック。
【請求項５】
河川に人工的に魚道を設置する場合に用いる魚道ブロックであって、略直方体のブロック本体の表側中央部には水溜め用の凹部が設けられ、この凹部内には前記ブロック本体の裏側に貫通する底部連通孔が設けられ、前記ブロック本体は分割体を前後若しくは左右に連設することにより構成されるものであることを特徴とする魚道ブロック。
【請求項６】
河川に人工的に魚道を設置する場合に用いる魚道ブロックであって、略直方体のブロック本体の表側中央部には水溜め用の凹部が設けられ、前記ブロック本体の下流側端部の表側両側には凸部が設けられ、この凸部の間は越流部に設定され、前記ブロック本体は分割体を前後若しくは左右に連設することにより構成されるものであることを特徴とする魚道ブロック。
【請求項７】
河川に人工的に魚道を設置する場合に用いる魚道ブロックであって、略直方体のブロック本体の表側中央部には水溜め用の凹部が設けられ、前記ブロック本体の下流側端部の裏側には下流側端部の延設方向に延設される切り欠き部が設けられ、この切り欠き部が虚を形成するように構成され、前記ブロック本体は分割体を前後若しくは左右に連設することにより構成されるものであることを特徴とする魚道ブロック。
【請求項８】
河川に人工的に魚道を設置する場合に用いる魚道ブロックであって、略直方体のブロック本体の表側中央部には水溜め用の凹部が設けられ、この凹部内には前記ブロック本体の裏側に貫通する底部連通孔が設けられ、前記ブロック本体の下流側端部の表側両側には凸部が設けられ、この凸部の間は越流部に設定され、前記ブロック本体の下流側端部の裏側には下流側端部の延設方向に延設される切り欠き部が設けられ、この切り欠き部が虚を形成するように構成され、前記ブロック本体は分割体を前後若しくは左右に連設することにより構成されるものであることを特徴とする魚道ブロック。
【請求項９】
請求項５〜８いずれか１項に記載の魚道ブロックにおいて、前記一の分割体と他の分割体とは凹凸嵌合するように構成されていることを特徴とする魚道ブロック。
【請求項１０】
請求項９記載の魚道ブロックにおいて、前記凹凸嵌合は、凸部の突出長を凹部の奥部にまで届かない長さに設定し、該凹部の奥部と該凸部の頂面とで前記底部連通孔は形成されるものであることを特徴とする魚道ブロック。
【請求項１１】
河川に人工的に魚道を設置する場合に用いる魚道ブロックであって、略直方体のブロック本体の表側中央部には水溜め用の凹部が設けられ、前記ブロック本体の下流側端部の表側両側には凸部が設けられ、この凸部の間は越流部に設定され、前記ブロック本体の上流側端部の表側の表面高さ位置は前記越流部の底部の表面高さ位置より低く設定されていることを特徴とする魚道ブロック。
【請求項１２】
河川に人工的に魚道を設置する場合に用いる魚道ブロックであって、略直方体のブロック本体の表側中央部には水溜め用の凹部が設けられ、この凹部内には前記ブロック本体の裏側に貫通する底部連通孔が設けられ、前記ブロック本体の下流側端部の表側両側には凸部が設けられ、この凸部の間は越流部に設定され、前記ブロック本体の上流側端部の表側の表面高さ位置は前記越流部の底部の表面高さ位置より低く設定され、前記ブロック本体の下流側端部の裏側には下流側端部の延設方向に延設される切り欠き部が設けられ、この切り欠き部が虚を形成するように構成されていることを特徴とする魚道ブロック。
【請求項１３】
請求項２，４，６，８，１１，１２いずれか１項に記載の魚道ブロックにおいて、前記凸部は擬岩状の突起で形成されていることを特徴とする魚道ブロック。
【請求項１４】
略直方体のブロック本体の表側中央部には水溜め用の凹部が設けられ、このブロック本体の下流側端部の裏側には下流側端部の延設方向に延設される切り欠き部が設けられ、この切り欠き部が虚を形成するように構成された魚道ブロックを前後に敷設して河川に人工的に魚道を形成する方法であって、上流側に位置する前記ブロック本体の前記切り欠き部に、下流側に位置する前記ブロック本体の上流側端部を当接配置して該上流側端部と切り欠き部とを前後にスライド可能とすることを特徴とする魚道形成方法。
【発明の詳細な説明】
【０００１】
【発明の属する技術分野】
本発明は、魚道ブロック及び魚道形成方法に関するものである。
【０００２】
【従来の技術及び発明が解決しようとする課題】
従来、河川に魚道を設ける場合、河床にコンクリートを現場打ちして魚道を設ける方法と、魚道ブロックを河床に設置する方法とがある。
【０００３】
しかしながら、河床にコンクリートを現場打ちして魚道を設ける場合には、施工に際して、掘削、配筋、型枠組み、コンクリート打設等の多数の工程からなる本工事の他に、施工区域を盛土または矢板で包囲する浸水対策用の付帯工事、及び浸水をポンプで常時排水する付帯設備の設置などが必要であり、工程数が多いことで工期が長くかかり、しかも施工コストも高いという問題がある。
【０００４】
また、従来の魚道ブロックを河床に設置する場合には、河川の水位差による揚圧力によって、魚道ブロックを河床に安定した状態で設置固定することが非常に大変であったり、河川を遡上する魚類の縦方向（下流〜上流方向）及び横方向（右岸〜左岸）の移動を容易にすることを考慮した魚道ブロックが現存せず、また、水量が変化した場合、特に水量が少ない場合でも魚類が容易に河川を遡上できるように構成された魚道ブロックもなく、さらに複数の魚道ブロックを連設して設置する場合、河床の状況に合わせて魚道ブロックの設置勾配を調整できるような魚道ブロックもなく、河床の状況が異なるような種々の河川において、魚類が容易に河川を遡上できる魚道ブロックを河床に安定した状態で設置固定できる魚道ブロックが切望されている。
【０００５】
本発明は、前記従来の課題を解決するためになされたものであり、河川の状況が変化しても魚類が安全にして容易に河川を遡上若しくは降下することができ、河床の状況が異なっても河床への最適な設置固定を可能とする非常に実用性に秀れた魚道ブロック及び魚道形成方法を提供するものである。
【０００６】
【課題を解決するための手段】
添付図面を参照して本発明の要旨を説明する。
【０００７】
河川に人工的に魚道を設置する場合に用いる魚道ブロックであって、略直方体のブロック本体１の表側中央部には水溜め用の凹部２が設けられ、この凹部２を構成する外周壁部の両横壁部には凹部９が設けられ、更に、この凹部２内には前記ブロック本体１の裏側に貫通する底部連通孔３が設けられていることを特徴とする魚道ブロックに係るものである。
【０００８】
また、河川に人工的に魚道を設置する場合に用いる魚道ブロックであって、略直方体のブロック本体１の表側中央部には水溜め用の凹部２が設けられ、この凹部２を構成する外周壁部の両横壁部には凹部９が設けられ、前記ブロック本体１の下流側端部の表側両側には凸部４が設けられ、この凸部４の間は越流部６に設定されていることを特徴とする魚道ブロックに係るものである。
【０００９】
また、河川に人工的に魚道を設置する場合に用いる魚道ブロックであって、略直方体のブロック本体１の表側中央部には水溜め用の凹部２が設けられ、この凹部２を構成する外周壁部の両横壁部には凹部９が設けられ、前記ブロック本体１の下流側端部の裏側には下流側端部の延設方向に延設される切り欠き部７が設けられ、この切り欠き部７が虚８を形成するように構成されていることを特徴とする魚道ブロックに係るものである。
【００１０】
また、河川に人工的に魚道を設置する場合に用いる魚道ブロックであって、略直方体のブロック本体１の表側中央部には水溜め用の凹部２が設けられ、この凹部２を構成する外周壁部の両横壁部には凹部９が設けられ、更に、この凹部２内には前記ブロック本体１の裏側に貫通する底部連通孔３が設けられ、前記ブロック本体１の下流側端部の表側両側には凸部４が設けられ、この凸部４の間は越流部６に設定され、前記ブロック本体１の下流側端部の裏側には下流側端部の延設方向に延設される切り欠き部７が設けられ、この切り欠き部７が虚８を形成するように構成されていることを特徴とする魚道ブロックに係るものである。
【００１１】
また、河川に人工的に魚道を設置する場合に用いる魚道ブロックであって、略直方体のブロック本体１の表側中央部には水溜め用の凹部２が設けられ、この凹部２内には前記ブロック本体１の裏側に貫通する底部連通孔３が設けられ、前記ブロック本体１は分割体11,12を前後若しくは左右に連設することにより構成されるものであることを特徴とする魚道ブロックに係るものである。
【００１２】
また、河川に人工的に魚道を設置する場合に用いる魚道ブロックであって、略直方体のブロック本体１の表側中央部には水溜め用の凹部２が設けられ、前記ブロック本体１の下流側端部の表側両側には凸部４が設けられ、この凸部４の間は越流部６に設定され、前記ブロック本体１は分割体11,12を前後若しくは左右に連設することにより構成されるものであることを特徴とする魚道ブロックに係るものである。
【００１３】
また、河川に人工的に魚道を設置する場合に用いる魚道ブロックであって、略直方体のブロック本体１の表側中央部には水溜め用の凹部２が設けられ、前記ブロック本体１の下流側端部の裏側には下流側端部の延設方向に延設される切り欠き部７が設けられ、この切り欠き部７が虚８を形成するように構成され、前記ブロック本体１は分割体11,12を前後若しくは左右に連設することにより構成されるものであることを特徴とする魚道ブロックに係るものである。
【００１４】
また、河川に人工的に魚道を設置する場合に用いる魚道ブロックであって、略直方体のブロック本体１の表側中央部には水溜め用の凹部２が設けられ、この凹部２内には前記ブロック本体１の裏側に貫通する底部連通孔３が設けられ、前記ブロック本体１の下流側端部の表側両側には凸部４が設けられ、この凸部４の間は越流部６に設定され、前記ブロック本体１の下流側端部の裏側には下流側端部の延設方向に延設される切り欠き部７が設けられ、この切り欠き部７が虚８を形成するように構成され、前記ブロック本体１は分割体11,12を前後若しくは左右に連設することにより構成されるものであることを特徴とする魚道ブロックに係るものである。
【００１５】
また、請求項５〜８いずれか１項に記載の魚道ブロックにおいて、前記一の分割体11と他の分割体12とは凹凸嵌合するように構成されていることを特徴とする魚道ブロックに係るものである。
【００１６】
また、請求項９記載の魚道ブロックにおいて、前記凹凸嵌合は、凸部14の突出長を凹部13の奥部にまで届かない長さに設定し、該凹部13の奥部と該凸部14の頂面とで前記底部連通孔３は形成されるものであることを特徴とする魚道ブロックに係るものである。
【００１７】
また、河川に人工的に魚道を設置する場合に用いる魚道ブロックであって、略直方体のブロック本体１の表側中央部には水溜め用の凹部２が設けられ、前記ブロック本体１の下流側端部の表側両側には凸部４が設けられ、この凸部４の間は越流部６に設定され、前記ブロック本体１の上流側端部の表側の表面高さ位置は前記越流部６の底部の表面高さ位置より低く設定されていることを特徴とする魚道ブロックに係るものである。
【００１８】
また、河川に人工的に魚道を設置する場合に用いる魚道ブロックであって、略直方体のブロック本体１の表側中央部には水溜め用の凹部２が設けられ、この凹部２内には前記ブロック本体１の裏側に貫通する底部連通孔３が設けられ、前記ブロック本体１の下流側端部の表側両側には凸部４が設けられ、この凸部４の間は越流部６に設定され、前記ブロック本体１の上流側端部の表側の表面高さ位置は前記越流部６の底部の表面高さ位置より低く設定され、前記ブロック本体１の下流側端部の裏側には下流側端部の延設方向に延設される切り欠き部７が設けられ、この切り欠き部７が虚８を形成するように構成されていることを特徴とする魚道ブロックに係るものである。
【００１９】
また、請求項２，４，６，８，１１，１２いずれか１項に記載の魚道ブロックにおいて、前記凸部４は擬岩状の突起で形成されていることを特徴とする魚道ブロックに係るものである。
【００２０】
また、略直方体のブロック本体１の表側中央部には水溜め用の凹部２が設けられ、このブロック本体１の下流側端部の裏側には下流側端部の延設方向に延設される切り欠き部７が設けられ、この切り欠き部７が虚８を形成するように構成された魚道ブロックを前後に敷設して河川に人工的に魚道を形成する方法であって、上流側に位置する前記ブロック本体１の前記切り欠き部７に、下流側に位置する前記ブロック本体１の上流側端部を当接配置して該上流側端部と切り欠き部７とを前後にスライド可能とすることを特徴とする魚道形成方法に係るものである。
【００２１】
【発明の作用及び効果】
略直方体のブロック本体１の表側中央部に水留め用の凹部２を設け、該凹部２内にブロック本体１の裏側に貫通する底部連通孔３を設けたから、河川の所定位置にブロック本体１を設置する場合、河川の水がブロック本体１の底面側から底部連通孔３を通ってブロック本体１の凹部２内に流入するから、河川の水位差によって発生する揚圧力を底部連通孔３から逃がすことができ、ブロック本体１を河床に安定した状態で確実に設置固定することができる。
【００２２】
また、凹部２を構成する外周壁部の両横壁部に凹部９を設けたから、河川を遡上する魚類は、横方向（右岸〜左岸方向）に移動する場合、凹部９を通って容易に横方向への移動が可能となり、常に外敵（天敵）からの攻撃（自然界の食物連鎖）に脅かされている魚類は、縦方向（上流〜下流方向）だけでなく、横方向（右岸〜左岸方向）へも容易に移動することができ、外敵から避難する機会を増やすことで河川を遡上する魚類の生存率を高めることができる。
【００２３】
また、略直方体のブロック本体１の表側中央部に水留め用の凹部２を設け、ブロック本体１の下流側端部の表側両側に凸部４を設け、両凸部４の間を越流部６に設定したから、河川の水量が少ない場合には、越流部６の幅寸法が狭いので、越流部６の断面積が小さくなり、魚類の遡上に必要な水深を確保でき、水量が増加するに伴って、越流部６の幅寸法が徐々に広くなるので、越流部６の断面積が大きくなり、水深の増加は緩やかとなり、流速などの水流の状況変化を極力少なくすることで魚類の遡上に適した水流の状況を創出することができる魚道ブロックとすることができる。
【００２４】
また、略直方体のブロック本体１の表側中央部に水留め用の凹部２を設け、ブロック本体１の下流側端部の裏側に下流側端部を横断する切り欠き部７を設け、この切り欠き部７が虚８を形成するように構成したから、河川を遡上する魚類がこの虚８にはいることで、鳥類などの外敵から避難することができ、この虚８は魚類にとって、外敵に対する生物学的陰影となり、魚類は安全に河川を遡上若しくは降下することができる。
【００２５】
また、凸部４の形状を擬岩状の突起で形成したから、河川に魚道ブロックを設置してもより自然に近い景観を得ることができる。
【００２６】
また、ブロック本体１を分割体11，12を連設することにより構成して該ブロック本体１を前後若しくは左右に分割できるように設けたから、例えば河川の魚道ブロックを設置する場所が、大型のクレーンなどの工事用建設機械を搬入することが困難な場合であっても、ブロック本体１を分割してブロックを軽量化することでブロックの搬入を容易とすることができ、分割して搬入したブロックを河床に設置固定する時に適宜な方法で分割したブロックを一体化することで、大型の工事用建設機械の搬入が困難な場所であっても、容易に魚道ブロックを設置することができる。
【００２７】
さらに、ブロック本体１を分割できるようにしたから、分割したブロックを一体化する時に、完全に密着させて分割前と同様にするのでなく、意図した距離（例えば、１０cm〜２０cm）離した状態で空隙部にコンクリートなどを充填して一体化すれば、魚道ブロックの大きさは任意に設定することができ、河床の状況が異なっても河床の状況に合わせて魚道ブロックを設置固定することができる。
【００２８】
また、一の分割体11と他の分割体12とを凹凸嵌合するように構成したから、分割したブロックを組み合わせる時に確実にしかも容易に組み合わせることができる。
【００２９】
また、ブロック本体１の上流側端部の表側の表面高さ位置は越流部６の底部の高さ位置より低く設定されているから、魚道ブロックを前後に連設して設けた場合、越流部６の曲面に沿って流下する越流水は、下流側魚道ブロックの水面下まで、越流部６の曲面に沿ってなだらかに誘導され、越流水が垂直に落下するようなことがないから、水面に発生する泡を最小限に抑えることができ、泡を嫌う魚類の遡上を阻害することなく好適な遡上環境を創出することができる。
【００３０】
また、魚道ブロックを複数個、前後に連設する場合、上流側に位置するブロック本体１の切り欠き部７に、下流側に位置するブロック本体１の上流側端部を当接配置して、この上流側端部と切り欠き部７とを前後にスライド可能に構成したから、魚道ブロックの設置勾配を急にしたい場合には、前後に位置するブロック本体１を密着して組み合わせることで魚道ブロックの設置勾配を急にすることができ、魚道ブロックの設置勾配をなだらかにしたい場合には、上流側のブロック本体１の切り欠き部７に下流側のブロック本体１を密着して組み合わせずに所定の空隙を設けて組み合わせることで、上下に連設した魚道ブロックの設置勾配を所定の勾配になだらかに設定することができ、魚道ブロックの設置勾配を所定の勾配に調節することができ、河床の状況や魚類に応じた魚道を容易に構築することができる。
【００３１】
【発明の実施の形態】
本発明の一実施例に係る魚道ブロックに関して以下図面に基づき説明する。
【００３２】
本実施例は、図１〜図６に図示したように、河川に人工的に魚道を設置する場合に用いる魚道ブロックであって、略直方体のブロック本体１の表側中央部に水溜め用の凹部２を設け、該凹部２内にブロック本体１の裏側に貫通する底部連通孔３を設け、ブロック本体１の下流側端部の表側に、両側に凸部４を設け、該凸部４の間に凹部５を設けてブロック本体１と凸部４と該凹部５とでＭ字型に形成した水の流れる越流部６を設け、ブロック本体１の下流側端部の裏側に下流側端部を横断する切り欠き部７を設け、該切り欠き部７が虚８を形成するように構成したものである。
【００３３】
さらに、凹部２を構成する外周壁部の両横壁部に凹部９を設け、凸部４の形状を擬岩状の突起で形成して、魚道ブロックより自然に近い景観にしているが、複数の魚道ブロックを組み合わせて用いる場合には、魚道ブロック全体がより自然に近い景観となるように、同じ形状の魚道ブロックを複数組み合わせるのでなく、図６に図示したように、魚道ブロックの形状、特に凹部２の大きさや凸部４の形状などを異ならせた複数の魚道ブロックを組み合わせて、景観が単調になることを避けて、魚道ブロック全体がより自然に近い景観となるようにすることができる。
【００３４】
また、魚道ブロックを前後（前後とは上流側から下流側への方向）に複数組み合わせた場合には、図５に図示したように、上流側のブロック本体１の下流側端部の裏側に下流側端部を横断するように設けた切り欠き部７に、下流側のブロック本体１の上流側端部の表側表面が当接して、上流側のブロック本体１の切り欠き部７と下流側のブロック本体１の凹部２とで形成する空隙部が虚８を形成し、上方から魚道ブロックを見た場合に陰影となり、魚類はこの虚８に入ることで鳥類などの天敵から容易に避難することができる。
【００３５】
ブロック本体１は、底部連通孔３の両側でブロック本体１を前後に分割できるように、ブロック本体１を横断する分割部10を設け、ブロック本体１を上流側ブロック11と下流側ブロック12とに分割できるように構成している。
【００３６】
前後に分割したブロックを所定位置で確実にしかも容易に連結することができるように、下流側ブロック12の凹部２ｂには、凹部２ｂの表面から下流側ブロック12の裏面に貫通するように孔13を形成し、この孔13は下流側ブロック12の上流側側面から凹部13を形成するように構成し、しかもこの凹部13の大きさは、所定の大きさに設定する底部連通孔３の大きさよりも大きく形成する。
【００３７】
上流側ブロック11の凹部２ａには、下流側ブロック12に設けた凹部13の一部に嵌入し、下流側ブロック12の凹部13の一部で所定の大きさの底部連通孔３を形成するように、上流側ブロック11の凹部２ａの下流側側面に凸部14を設け、下流側ブロック12に設けた凹部13に上流側ブロック11に設けた凸部14を嵌入できるように構成している。
【００３８】
下流側ブロック12の凹部13に上流側ブロック11の凸部14を嵌入することで、上下に分割したブロックを所定位置で確実にしかも容易に連結することができる。
【００３９】
また、ブロック本体１の上流側端部の表側表面高さよりも越流部６を形成する凹部５の底部高さを高く設定することで、魚道ブロックを前後に連設して設けた場合、越流部６の曲面に沿って流下する越流水が下流側魚道ブロックの凹部５の水面下まで越流部６の曲面に沿ってなだらかに誘導される。
また、魚道ブロックを複数個、前後に連設する場合、上流側に位置するブロック本体１の切り欠き部７に、下流側に位置するブロック本体１の上流側端部の表側表面を当接させ、この表側表面と切り欠き部７とを前後にスライド可能に構成している。
【００４０】
前述の実施例の説明では、ブロック本体１を分割する場合、前後方向に二分割する場合について説明したが、同様な方法で左右方向に二分割することもでき、さらに、前後方向あるいは左右方向に適宜三分割以上複数分割することもでき、分割数を増やすことで、分割したブロックの重量をより軽くすることができ、ブロックの搬入をより容易にすることができる。
【００４１】
また、ブロック本体１の形状などは適宜変更することができ、河川の魚道ブロックの設置場所に合わせて適宜形状などを設定すると共に、魚道ブロックを前後、左右に適宜組み合わせることで河川に所望の魚道ブロックを設置固定することができる。
【００４２】
本実施例は、以上のように、略直方体のブロック本体１の表側中央部に水留め用の凹部２を設け、該凹部２内にブロック本体１の裏側に貫通する底部連通孔３を設けたから、河川の所定位置にブロック本体１を設置する場合、河川の水がブロック本体１の底面側から底部連通孔３を通ってブロック本体１の凹部２内に流入するから、河川の水位差によって発生する揚圧力を底部連通孔３から逃がすことができ、ブロック本体１を河床に安定した状態で確実に設置固定することができる。
【００４３】
また、略直方体のブロック本体１の表側中央部に水留め用の凹部２を設け、ブロック本体１の下流側端部の表側に、両側に凸部４を設け、両凸部４の間に凹部５を設けてブロック本体１と凸部４と凹部５とでＭ字型に形成した水の流れる越流部６を設けたから、河川の水量が少ない場合には、越流部６の幅寸法が狭いので、越流部６の断面積が小さくなり、魚類の遡上に必要な水深を確保でき、水量が増加するに伴って、越流部６の幅寸法が徐々に広くなるので、越流部６の断面積が大きくなり、水深の増加は緩やかとなり、流速などの水流の状況変化を極力少なくすることで魚類の遡上に適した水流の状況を創出することができる魚道ブロックとすることができる。
【００４４】
また、略直方体のブロック本体１の表側中央部に水留め用の凹部２を設け、ブロック本体１の下流側端部の裏側に下流側端部を横断する切り欠き部７を設け、この切り欠き部７が虚８を形成するように構成したから、河川を遡上する魚類がこの虚８にはいることで、鳥類などの外敵から避難することができ、この虚８は魚類にとって、外敵に対する生物学的陰影となり、魚類は安全に河川を遡上若しくは降下することができる。
【００４５】
また、凹部２を構成する外周壁部の両横壁部に凹部９を設けたから、河川を遡上する魚類は、横方向（右岸〜左岸方向）に移動する場合、凹部９を通って容易に横方向への移動が可能となり、常に外敵（天敵）からの攻撃（自然界の食物連鎖）に脅かされている魚類は、縦方向（上流〜下流方向）だけでなく、横方向（右岸〜左岸方向）へも容易に移動することができ、外敵から避難する機会を増やすことで河川を遡上する魚類の生存率を高めることができる。
【００４６】
また、凸部４の形状を擬岩状の突起で形成したから、河川に魚道ブロックを設置してもより自然に近い景観を得ることができる。
【００４７】
また、ブロック本体１を前後若しくは左右に分割できるように、ブロック本体１を横断する分割部10をブロック本体１に設けたから、例えば河川の魚道ブロックを設置する場所が、大型のクレーンなどの工事用建設機械を搬入することが困難な場合であっても、ブロック本体１を分割部10で分割してブロックを軽量化することでブロックの搬入を容易とすることができ、分割して搬入したブロックを河床に設置固定する時に適宜な方法で分割したブロックを一体化することで、大型の工事用建設機械の搬入が困難な場所であっても、容易に魚道ブロックを設置することができる。
【００４８】
さらに、ブロック本体１を分割できるようにしたから、分割したブロックを一体化する時に、完全に密着させて分割前と同様にするのでなく、意図した距離（例えば、１０cm〜２０cm）離した状態で空隙部にコンクリートなどを充填して一体化すれば、魚道ブロックの大きさは任意に設定することができ、河床の状況が異なっても河床の状況に合わせて魚道ブロックを設置固定することができる。
【００４９】
また、底部連通孔３を介して底部連通孔３の両側にブロック本体１を前後若しくは左右に分割できる分割部10をブロック本体１に設けたから、分割部10で分割したブロックの組み合わせ構造を底部連通孔３部分で分割したブロックを各々凹凸嵌合構造にすることができ、分割したブロックを組み合わせる時に確実にしかも容易に組み合わせることができる。
【００５０】
また、ブロック本体１の上流側端部の表側表面高さよりも越流部６を形成する凹部５の底部高さを高く設定したから、魚道ブロックを前後に連設して設けた場合、越流部６の曲面に沿って流下する越流水は、下流側魚道ブロックの凹部５水面下まで、越流部６の曲面に沿ってなだらかに誘導され、越流水が垂直に落下するようなことがないから、水面に発生する泡を最小限に抑えることができ、泡を嫌う魚類の遡上を阻害することなく好適な遡上環境を創出することができる。
【００５１】
また、魚道ブロックを複数個、前後に連設する場合、上流側に位置するブロック本体１の切り欠き部７に、下流側に位置するブロック本体１の上流側端部の表側表面を当接させ、この表側表面と切り欠き部７とを前後にスライド可能に構成したから、魚道ブロックの設置勾配を急にしたい場合には、前後に位置するブロック本体１を密着して組み合わせることで魚道ブロックの設置勾配を急にすることができ、魚道ブロックの設置勾配をなだらかにしたい場合には、上流側のブロック本体１の切り欠き部７に下流側のブロック本体１を密着して組み合わせずに所定の空隙を設けて組み合わせることで、前後に連設した魚道ブロックの設置勾配を所定の勾配になだらかに設定することができ、魚道ブロックの設置勾配を所定の勾配に調節することができ、河床の状況や魚類に応じた魚道を容易に構築することができる。
【図面の簡単な説明】
【図１】  本発明の一実施例に係る魚道ブロックを示す斜視図である。
【図２】  図１の正面図である。
【図３】  図２のＡ−Ａ断面図である。
【図４】  図１の側面図である。
【図５】  本発明の一実施例に係る魚道ブロックを前後に複数連設した使用状態を示す説明図である。
【図６】  本発明の一実施例に係る魚道ブロックを前後、左右に複数連設した使用状態を示す説明図である。
【符号の説明】
１  ブロック本体
２  凹部
３  底部連通孔
４  凸部
６  越流部
７  凹部
８  虚
９  凹部
10  凹凸嵌合部
11  分割体
12  分割体
13  凹部
14  凸部
【図１】
0003871771.tif 000002
【図２】
0003871771.tif 000003
【図３】
0003871771.tif 000004
【図４】
0003871771.tif 000005
【図５】
0003871771.tif 000006
【図６】
0003871771.tif 000007